(57)【特許請求の範囲】
【請求項１】
自覚による眼屈折力データを得るための検眼ユニットと、
外部検査装置からの外部屈折力データを入力させるデータ入力部と、
前記屈折力データを表示させる表示手段と、
前記屈折力データをそれぞれ表示させるメインウインドウ及び屈折力データ表示用の複数の参照ウインドウを前記表示手段に同時に表示させると共に前記検眼ユニットを制御させる制御手段と、
前記メインウインドウに表示された屈折力データと前記参照ウインドウに表示された屈折力データとを切り替え表示させる表示切替手段を備え、
前記制御手段は、前記外部屈折力データを自覚屈折力検査のスタートデータとして前記メインウインドウに表示させると共に、前記スタートデータに基づいて前記検眼ユニットを制御して前記自覚による眼屈折力データを得る自覚式検眼装置であって、
前記スタートデータを前記複数の参照ウインドウのいずれに表示するかを設定する表示ウインドウ設定手段が設けられ、
前記制御手段は、前記表示切替手段の操作により前記メインウインドウに表示された前記スタートデータを前記設定された参照ウインドウに退避表示可能としたことを特徴とする自覚式検眼装置。
【請求項２】
請求項１に記載の自覚式検眼装置において、前記表示ウインドウ設定手段は、前記参照ウインドウに表示された屈折力データを前記メインウインドウに変更表示させる際に、前記メインウインドウに表示されていた屈折力データを前記複数の参照ウインドウのいずれに退避させるかを設定可能に設けられていることを特徴とする自覚式検眼装置。
【請求項３】
請求項１に記載の自覚式検眼装置において、前記表示ウインドウ設定手段は、前記メインウインドウに表示している屈折力データを処方データとして前記参照ウインドウに退避させる際に、前記複数の参照ウインドウのいずれに退避させるかを設定可能に設けられていることを特徴とする自覚式検眼装置。
【請求項４】
請求項１に記載の自覚式検眼装置において、前記制御手段は、前記参照ウインドウの屈折力データと前記メインウインドウの屈折力データとの一方をマウスのカーソルで他方にドラックしてドロップさせることにより、前記参照ウインドウの屈折力データと前記メインウインドウの屈折力データとを入れ替え表示可能に制御することを特徴とする自覚式検眼装置。
【発明の詳細な説明】
【技術分野】
【０００１】
この発明は、外部検査装置からの屈折力データを比較データとして表示可能な自覚式検眼装置に関するものである。
【背景技術】
【０００２】
自覚式検眼装置としては、検眼ユニットの検眼窓を介して視力表を被検眼に呈示させ、視力表の見え方の応答に応じて検眼窓に配設する検査レンズを選択するようにしたものが知られている（例えば、特許文献１参照）。
【０００３】
このような自覚式検眼装置では、検眼時にレフラクトメータで他覚測定された屈折度数や、レンズメータで測定された既用のメガネ度数等を、検査している屈折力データ（メインデータ）と共に表示手段に参照データとして表示させるようにしているのが一般的である。そして、検者は、この参照データを参照しながら自覚検査を進め、最終的に処方度数を決定する際に、いくつかの屈折度数の検査レンズを検眼窓に順次セットして、被験者に視力表の見え方を比較してもらい（比較テストを実行し）、見え方の良かった屈折度数を決定するようにしているのが普通である。
【特許文献１】特開２００２−１４３０９２号公報参照
【発明の開示】
【発明が解決しようとする課題】
【０００４】
しかし、参照データの表示エリアに表示されるデータは、メインデータを他のデータセットに入れ替えた時に、もとのメインデータを表示するために書き換えられたり、表示が消えてしまったり、表示位置が移動してしまったりする事があった。
【０００５】
そこで、この発明は、メインデータウインドウに表示された屈折力データを他のデータに入れ替えた時に、必要とされる参照ウインドウの表示を書き換えたり、消去したり、表示位置が移動しない自覚式検眼装置を提供することを目的とするものである。
【課題を解決するための手段】
【０００６】
この目的を達成するため、この発明は、自覚による眼屈折力データを得るための検眼ユニットと、外部検査装置からの外部屈折力データを入力させるデータ入力部と、前記屈折力データを表示させる表示手段と、前記屈折力データをそれぞれ表示させるメインウインドウ及び屈折力データ表示用の複数の参照ウインドウを前記表示手段に同時に表示させると共に前記検眼ユニットを制御させる制御手段と、前記メインウインドウに表示された屈折力データと前記参照ウインドウに表示された屈折力データとを切り替え表示させる表示切替手段を備え、前記制御手段は、前記外部屈折力データを自覚屈折力検査のスタートデータとして前記メインウインドウに表示させると共に、前記スタートデータに基づいて前記検眼ユニットを制御して前記自覚による眼屈折力データを得る自覚式検眼装置であって、
前記スタートデータを前記複数の参照ウインドウのいずれに表示するかを設定する表示ウインドウ設定手段が設けられ、前記制御手段は、前記表示切替手段の操作により前記メインウインドウに表示された前記スタートデータを前記設定された参照ウインドウに退避表示可能とした自覚式検眼装置としたことを特徴とする。
【発明の効果】
【０００７】
この構成によれば、メインデータウインドウに表示された屈折力データを他のデータに入れ替えた時に、必要とされる参照ウインドウの表示を書き換えたり、消去したり、表示位置が移動するのを防止できる。
【発明を実施するための最良の形態】
【０００８】
以下、この発明の実施の形態を図面に基づいて説明する。
[構成]
図１において、１は自覚式検眼装置を示す。この自覚式検眼装置１は、検眼テーブル２と、検眼テーブル２のコーナ部に上下方向に伸縮可能に設けられた支柱３と、支柱３に水平回動可能に取り付けられた支持アーム４を有する。
【０００９】
また、自覚式検眼装置１は、検眼テーブル２と間隔をおいて配設された視標呈示装置５と、支持アーム４に支持されたフォロプタ６と、検眼テーブル２上に載置されたコントローラ７を備えている。
【００１０】
この指標呈示装置５は、図示しない多数の検眼チャートと、この多数の検眼チャートを駆動するパルスモータ等の駆動モータ（駆動手段）と、この駆動モータを駆動制御して多数の検眼チャートの一つを選択的に呈示させる駆動制御部を有する。そして、指標呈示装置５は装置本体５ａの正面に表示窓５ｂを有し、この表示窓５ｂには選択されたチャート５ｃが呈示される。このような指標呈示装置５には、特開２００２−１４３０９２号公報に開示されたような従来周知の構成を採用できるので、その詳細な説明は省略する。尚、多数の検眼チャートは、液晶表示器等の表示装置（表示手段）に選択的に画像表示させるようにすることもできる。
【００１１】
また、フォロプタ６は左右対称の検眼ユニット６Ｌ，６Ｒを備えており、各検眼ユニット６Ｌ，６Ｒは検眼窓６Ｌｗ，６Ｒｗを備えている。しかも、検眼ユニット６Ｌは、屈折力（屈折条件）の異なる多数（複数）の検査レンズと、この多数の検査レンズを駆動するパルスモータ等の図示しない駆動モータ（駆動手段）と、この駆動モータを駆動制御して多数の検査レンズの一つを検眼窓６Ｌにセット（配設）させる駆動制御部（図示せず）を有する。
【００１２】
尚、検眼ユニット６Ｒも検眼ユニット６Ｌと同様な構成を有する。また、このような検眼ユニット６Ｌ，６Ｒを有するフォロプタ６には、特開２００２−１４３０９２号公報に開示されたような従来周知の構成を採用できるので、その詳細な説明は省略する。
【００１３】
そして、被検者Ｐａは、検眼窓（検査窓）６Ｌｗ，６Ｒｗを介して指標呈示装置５のチャート５ｃを視認することができる。また、検者Ｐｂは、コントローラ７を用いて指標呈示装置５及びフォロプタ６を操作する。
【００１４】
このコントローラ７は、各種検査の設定操作を行う操作盤８と、屈折力データを表示させるモニター用の液晶表示器（表示手段）９と、液晶表示器９に表示されるデータの変更操作や表示切り替え操作等に用いるマウス１０を備えている。
【００１５】
この操作盤８内には図２に示す制御部（制御手段）１１が設けられ、操作盤８の上面には操作部８ａ（詳細図示略）が設けられている。制御部１１は、ＣＰＵ（演算制御手段）１２と、ＣＰＵ１２に接続されたメモリ１３（記録手段としての記憶手段）を有する。このメモリ１３はＲＯＭ１３ａとＲＡＭ１３ｂを有する。そして、ＲＯＭ１３ａには、「スタートデータを複数の参照ウインドウのいずれに表示するかを設定する表示ウインドウ設定手段」を有する検眼プログラム（検査プログラム）が記憶されている。
【００１６】
このＣＰＵ１２は、視標呈示装置５の駆動制御部（図示せず）に接続されていると共に、フォロプタ６の駆動制御部（図示せず）に接続されている。また、ＣＰＵ１２には、液晶表示器９及びマウス１０が接続されている。
【００１７】
また、制御部１１にはデータ入力部１１ａ，１１ｂが設けられ、データ入力部１１ａには他覚式検眼装置であるオートレフラクトメータＲＭからの他覚屈折力データが入力され、データ入力部１１ｂにはレンズメータＣＬからのレンズ屈折度数のデータが入力されるようになっている。
【００１８】
そして、ＣＰＵ１２は、図３に示したように、液晶表示器９の左右方向中央部の上部にメインウインドウＭｗ（メイン屈折力データウインドウ）をメインデータ表示ウインドウとして表示させると共に、メインウインドウＭｗの両側に位置させて参照ウインドウ１，２として参照ウインドウＳｗ１，Ｓｗ２（参照屈折力データウインドウ）を参照データ表示ウインドウとして表示させるようになっている。
【００１９】
このメインウインドウＭｗの屈折力データは、液晶表示器９のデータ切替ボタンＤｓｂ「Ｄａｔａ  ｓｅｔ」にマウス１０のカーソル１０ａを移動させて、マウス１０の図示しない左ボタンをクリックすることで参照ウインドウＳｗ１，Ｓｗ２のいずれかの屈折力データと自動的に入れ替えられるようになっている。この入れ替えの設定については後述する。
【００２０】
このＣＰＵ１２は、メインデータを中央のメインウインドウＭｗ内にメインデータを表示させ、参照ウインドウＳｗ１（即ち参照ウインドウ１）に参照データ１を表示させ、参照ウインドウＳｗ２（即ち参照ウインドウ２）に参照データ２を表示させるように設定されている。
【００２１】
この実施例において、参照ウインドウＳｗ１にはレンズメータ等で測定されたメガネのレンズ屈折力データ（ＣＬ  Ｄａｔａ）を参照データ（外部屈折力データ）１として表示させ、参照ウインドウＳｗ２にはオートレフラクトメータ等で測定された他覚検眼データ（ＲＭ  Ｄａｔａ）を参照データ（外部屈折力データ）２として表示させるようになっている。
【００２２】
また、参照ウインドウＳｗ１は、「Ｄａｔａ  ｓｅｔ」ボタンでメインデータウインドウＭｗのデータ表示の切替が行われたとき、それまでメインデータウインドウＭｗにセットされていたデータを退避させるウインドウとして設定できる。しかも、参照ウインドウＳｗ２には、スタートデータである他覚のデータが表示される設定にできる。
【００２３】
また、ＣＰＵ１２は、メインウインドウＭｗ内に表示されたメインデータに基づき、各検眼ユニット６Ｒ，６Ｌの駆動制御部（図示せず）を駆動制御して、各検眼ユニット６Ｒ，６Ｌの検眼窓６Ｒｗ，６Ｌｗに検査レンズを配設（セット）するようになっている。これにより、検眼窓６Ｒｗ，６Ｌｗに配設される検査レンズの度数は、メインデータで設定された度数になる。このメインデータは、操作盤８の操作で変更できるようになっている。この構成には周知の構成が採用できるので、その詳細な説明は省略する。
【００２４】
尚、メインウインドウＭｗの左右方向中央には屈折力データのＳ（球面度数），Ｃ（円柱度数），Ａ（円柱軸角度），ＡＤＤ（加入度数）が表示され、メインウインドウＭｗのＳ，Ｃ，Ａ，ＡＤＤ等の左右には検眼ユニット６Ｒ，６Ｌの検眼窓６Ｒｗ，６Ｌｗにセットする検査レンズ（図示せず）の屈折力データＲＤ１，ＬＤ１がそれぞれ参照データ１として表示されている。
【００２５】
また、参照ウインドウＳｗ１の左右方向中央には屈折力データのＳ（球面度数），Ｃ（円柱度数），Ａ（円柱軸角度），ＡＤＤ（加入度数），ＶＡ（視力値）が表示され、参照ウインドウＳｗ１のＳ，Ｃ，Ａ，ＡＤＤ，ＶＡ等の左右には被検者が装用していたメガネの右側のレンズ度数であるレンズ屈折力データＲＭＤ[参照データ１（右）]，左側のレンズ度数であるレンズ屈折力データＬＭＤ[参照データ１（左）]がそれぞれ表示されている。
【００２６】
更に、参照ウインドウＳｗ２の左右方向中央には屈折力データのＳ（球面度数），Ｃ（円柱度数），Ａ（円柱軸角度），ＡＤＤ（加入度数），ＶＡ（視力値）が表示され、参照ウインドウＳｗ２のＳ，Ｃ，Ａ，ＡＤＤ，ＶＡ等の左右には被検者の右他覚屈折力データＲＡＤ[参照データ２（右）]，左他覚屈折力データＬＡＤ[参照データ２（左）]がそれぞれ表示されている。
【００２７】
ところで、参照データ表示ウィンドウに表示するデータは、一般的には自覚検査中は自覚検査のスタートデータで、処方度数調整中は処方調整のスタートデータである。従ってこれらの参照データは、各検査の段階で常に表示されていることが望ましい。そこで、参照ウインドウＳｗ１，Ｓｗ２には、図４のような「設定」ウインドウＳＷを設け予め設定を行っておく。
【００２８】
この「設定」ウインドウＳＷは、例えば、操作盤８の図示を省略した設定ボタン等を押すことにより、検眼プログラムの表示ウインドウ設定手段（図示せず）により表示させることができる。或いは、「設定」ウインドウＳＷは、マウス１０で操作されるカーソル１０ａによりファンクションボタンＦ１を操作してメニュー（図示せず）を表示させ、このメニューから「設定」をカーソル１０ａで選択して、マウスの左ボタン（図示せず）をクリックすることにより、検眼プログラムの表示ウインドウ設定手段（図示せず）により表示させることができる。
【００２９】
この「設定」ウインドウＳＷには、「自覚検査のスタートデータの選択」の表示枠Ｆｗａと「参照ウインドウの設定」の表示枠Ｆｗｂがある。この「自覚検査のスタートデータの選択」の表示枠Ｆｗａ内には、他覚検眼データである「他覚データ」，「既用メガネ度数」，「前回処方データ」等の選択枠Ｓａ，Ｓｂ，Ｓｃが設けられている。また、「参照ウインドウの設定」の表示枠Ｆｗｂ内には、「自覚のスタートデータを参照ウインドウに表示するデータの表示先」の選択窓Ｔ１，「処方のスタートデータを参照ウインドウに表示するデータの表示先」の選択窓Ｔ２，「メインデータの入れ替え時に、メインデータを参照ウインドウに表示するデータの表示先」の選択窓Ｔ３が設けられている。
【００３０】
また、「自覚のスタートデータを参照ウインドウに表示するデータの表示先」の項目の右下には参照ウインドウ選択枠Ｆ１が設けられ、「処方のスタートデータを参照ウインドウに表示するデータの表示先」の項目の右下には参照ウインドウ選択枠Ｆ２が設けられ、「メインデータの入れ替え時に、メインデータを参照ウインドウに表示するデータの表示先」の項目の右下には参照ウインドウ選択枠Ｆ３が設けられている。
【００３１】
各参照ウインドウ選択枠Ｆ１〜Ｆ３の右側には「▼」ボタンＢ１〜Ｂ３が設けられている。そして、各「▼」ボタンＢ１〜Ｂ３にマウス１０のカーソル１０ａを位置させ、マウス１０の左ボタン（図示せず）をクリックすることにより、各参照ウインドウ選択枠Ｆ１〜Ｆ３の下に「参照ウインドウ１〜参照ウインドウｎ」の項目をそれぞれプルダウンメニュー（図示せず）で表示可能に設けられている。このプルダウンメニュー（図示せず）から「参照ウインドウ１〜参照ウインドウｎ」いずれかをマウス１０のカーソル１０ａで選択し、マウス１０の左ボタン（図示せず）をクリックすることにより、各項目、即ち「自覚のスタートデータを参照ウインドウに表示するデータの表示先」、「処方のスタートデータを参照ウインドウに表示するデータの表示先」、「メインデータの入れ替え時に、メインデータを参照ウインドウに表示するデータの表示先」を「参照ウインドウ１〜参照ウインドウｎ」のいずれにするかを選択して設定可能となっている。
【００３２】
尚、「自覚のスタートデータを参照ウインドウに表示するデータの表示先」の項目は、自覚のスタートデータとして登録されたデータを参照ウィンドウに表示するかどうか、また、表示する場合にはどの参照ウィンドウに表示するのかの項目である。この設定により、データインポート時に、スタートデータにコピーされたオリジナルのデータが、自動で指定した参照ウィンドウに表示されることとなる。
【００３３】
また、「処方のスタートデータを参照ウインドウに表示するデータの表示先」の項目は、処方の度数調整を開始した時に、処方のスタートデータを参照ウィンドウに表示するか、また、表示する場合にはどの参照ウィンドウに表示するのかの項目である。この設定により、処方調整開始時に処方データにコピーされたオリジナルのデータが、自動で指定した参照ウィンドウに表示されることとなる。
【００３４】
更に、「メインデータの入れ替え時に、メインデータを参照ウインドウに表示するデータの表示先」の項目は、メインデータのデータを他のデータセットに入れ替える時に、メインデータに表示されていたデータを参照ウィンドウに表示するか、また、表示する場合には、その参照ウィンドウに表示するかの項目である。この設定により、メインデータを他のデータセットに切り替えた際に、元々メインデータに表示されていたデータが、自動で指定した参照ウィンドウに表示されることとなる。
【００３５】
このような項目を設けることで、例えば検査中に必ず参照したいデータは「参照ウィンドウ２」に表示し、それ以外の参照データや、メインデータの退避先は「参照ウィンドウ１」に表示させる、と言うように各参照データ表示ウィンドウに役割を持たせ、何処を参照すればよいかを明確化することが可能となる。
[作用]
次に、このような構成の自覚式検眼装置の作用を説明する。
【００３６】
装置の起動時にＣＰＵ１２は、ＲＯＭ１３ａに記憶させておいた検眼プログラムを読み込んでＲＡＭ１３ｂの所定記憶部に構築させ、図３に示したように検眼プログラムによる液晶表示器９への検眼のための表示を実行する。
【００３７】
この制御部１１のＲＡＭ１３ｂには、データ入力部１１ａを介して他覚式検眼装置であるオートレフラクトメータＲＭからの他覚屈折力データが入力されていると共に、データ入力部１１ｂを介してレンズメータＣＬからのレンズ屈折度数のデータが入力されている。そして、図３に示したように、レンズ屈折力（レンズ屈折度数）データは参照ウインドウＳｗ１に表示され、他覚データ（他覚屈折力データ）は参照ウインドウＳｗ２に表示されている。
【００３８】
この図３において、例えば、操作盤８の図示を省略した設定ボタン等を押すことにより、検眼プログラムの表示ウインドウ設定手段（図示せず）により図４の「設定」ウインドウＳＷを表示させる。或いは、マウス１０で操作されるカーソル１０ａによりファンクションボタンＦ１を操作してメニュー（図示せず）を表示させ、このメニューから「設定」をカーソル１０ａで選択して、マウスの左ボタン（図示せず）をクリックすることにより、検眼プログラムの表示ウインドウ設定手段（図示せず）により「設定」ウインドウＳＷを表示させる。
【００３９】
そして、図４に示したように、例えば自覚検査のスタートデータの選択において、他覚検眼データである他覚データの選択枠Ｓａを黒丸で選択する。また、「自覚のスタートデータを参照ウインドウに表示するデータの表示先」の参照ウインドウ選択枠Ｆ１には例えば参照ウインドウ１を選択する。更に、「処方のスタートデータを参照ウインドウに表示するデータの表示先」の参照ウインドウ選択枠Ｆ２には例えば参照ウインドウ１が選択する。また、「メインデータの入れ替え時に、メインデータを参照ウインドウに表示するデータの表示先」の参照ウインドウ選択枠Ｆ３には例えば参照ウインドウ２を選択する。
【００４０】
このような図４の設定では、自覚の検査時に他覚データが消してはならないデータとして設定されていると共に、他覚データをスタートデータとして用いるように設定されている。
【００４１】
従って、制御部１１のＣＰＵ１２は、自覚の検査開始時にはメインデータウインドウに参照ウインドウＳｗ２の他覚データをスタートデータとして自動的に取り込んで表示させると共に、この他覚データに基づいてフォロプタ６の各検眼ユニット６Ｒ，６Ｌの駆動制御部（図示せず）を駆動制御して、各検眼ユニット６Ｒ，６Ｌの検眼窓６Ｒｗ，６Ｌｗに検査レンズを配設（セット）する。これにより、検眼窓６Ｒｗ，６Ｌｗに配設される検査レンズの度数は、メインデータで設定された度数になる。
【００４２】
この他覚データで設定された検眼ユニット６Ｒ，６Ｌを用いて自覚の検査（特開２００２−１４３０９２号公報におけるような周知の方法）を実行し、図３のメインデータウインドウＭｗに表示したような自覚の屈折力データＳ，Ｃ，Ａ，ＡＤＤ等のデータを求める。
【００４３】
そして、液晶表示器９のデータ切替ボタンＤｓｂ「Ｄａｔａ  ｓｅｔ」にマウス１０のカーソル１０ａを移動させて、マウス１０の図示しない左ボタンをクリックすることで、メインウインドウＭｗの屈折力データはデータ退避の為に設定された参照ウインドウＳｗ１の屈折力データと自動的に入れ替えられる。この参照ウインドウＳｗ１に退避された屈折力データは、メガネを作る場合の処方値のデータとして用いることができる。
【００４４】
なお、参照ウィンドウＳｗ１，Ｓｗ２に表示させるデータは、検者が検査中に任意に選択しても良い。その場合には、例えば図５のように、参照ウィンドウＳｗ１のタイトルバー「ＣＬ  Ｄａｔａ」にボタン「▼」ＣＬＢを設け、このボタン「▼」ＣＬＢにマウス１０のカーソル１０ａを移動させ、マウス１０の左ボタン（図示せず）をクリックして、表示可能なデータセットのリスト（プルダウンメニューリスト）を表示し、その中から選ばせるようにしても良い。図５では、前回データ（Last prescription），オートレフラクトメータの他覚データ（ＲＭ  Ｄａｔａ），メモリ（Ｍｅｍｏｒｙ）１〜３に設定されるその他のデータが表示されている。
【００４５】
尚、メインデータウインドウＭｗに表示させるデータも、検者が検査中に任意に選択しても良い。例えば、図５Ａに示したように、図５の参照ウインドウＳｗ１のボタン「▼」ＣＬＢと同様なボタン「▼」ＣＬＢ′をメインデータウインドウＭｗのタイトルバー「Ｓｂｊ  Ｄａｔａ：Ｆａｒ」に設けて、このボタン「▼」ＣＬＢ′にマウス１０のカーソル１０ａを移動させ、マウス１０の左ボタン（図示せず）をクリックして、表示可能なデータセットのリスト（プルダウンメニューリスト）を図５と同様に表示させ、その中から選ばせるようにしても良い。
【００４６】
また、自覚検査の途中や、処方値決定の際には、いくつかのデータセットの屈折度数での見え方を比較させ、最終的な処方値を調整し、決定するのが一般的である（これを比較テストと呼ぶ）。
【００４７】
このとき、比較テストを行う各データセットの屈折度数が、予め確認できることが望ましい。従って、参照データウインドＳｗ１，Ｓｗ２に表示中のデータと、メインウインドウＭｗに表示中のメインデータを入れ替えて、セット・表示を行うとその要求が満たせる。
【００４８】
この操作をドラック&ドロップで行うと、より直感的に操作が行え、またセットミスを防ぐことが可能となる。例えば、参照ウィンドウＳｗ1のタイトルバー「ＣＬ  Ｄａｔａ」にマウス１０のカーソル１０ａを移動させ、このマウス１０の左ボタン（図示せず）をクリックしてドラックし、メインデータウインドウＭｗのメインデータ上にドロップした場合、メインデータウインドウＭｗのメインデータを参照データ表示ウィンドウＳｗ1に表示中のデータにセットし、参照示ウィンドウＳｗ1にはメインウインドウＭｗのメインデータに表示されていたデータを表示するようにする。
【００４９】
これにより、比較テスト（メインデータの入れ替え）のための操作と、それにより得られる結果を直感的に理解し、かつ操作を容易にすることが可能となる。
【００５０】
なお、メインデータのタイトルバー「Sbj Data :Far」を参照ウィンドウＳｗ１にドラック&ドロップしてデータの入れ替えを実現しても良い。
【００５１】
尚、参照データとしては、既用メガネ度数を示すレンズメータ測定データ（ＣＬ  Ｄａｔａ）と他覚測定データ（ＲＭ  Ｄａｔａ）を用いた例を示したが、必ずしもこれに限定されるものではない。即ち、参照ウインドウに表示可能なデータの種類の例としては、例えば、
・レンズメータ測定データ（既用メガネ度数）
・前回処方データ（カルテ/データベース登録データ）
・他覚測定データ
・自覚測定データ
・処方データ
・一時記録データ（数種類）
等がある。
【００５２】
また、以上説明した実施例では、メインウインドウＭｗの両側に位置させてそれぞれ一つの参照ウインドウＳｗ１，Ｓｗ２を表示させるようにしたが、必ずしもこれに限定されるものではない。
【００５３】
例えば、図６に示すように、メインウインドウＭｗの両側にＳ，Ｃ，Ａ，ＡＤＤ，ＶＡを表示させると共に、Ｓ，Ｃ，Ａ，ＡＤＤ，ＶＡに隣接させて参照ウインドウＳＷ１ａ，ＳＷ２ａを表示させ、参照ウインドウＳＷ１ａに参照データ１（左），参照データ２（左）を並設表示させ、参照ウインドウＳＷ２ａに参照データ１（右），参照データ２（右）を並設表示させようにしても良い。
【００５４】
以上説明したように、この発明の実施の形態の自覚式検眼装置は、自覚による眼屈折力データを得るための検眼ユニット６Ｌ，６Ｒと、外部検査装置からの外部屈折力データを入力させるデータ入力部１１ａ，１１ｂと、  前記屈折力データを表示させる表示手段（液晶表示器９）を有する。また、自覚式検眼装置は、  前記屈折力データをそれぞれ表示させるメインウインドウＭｗ及び屈折力データ表示用の複数の参照ウインドウ（Ｓｗ１，Ｓｗ２又はＳｗ１ａ，Ｓｗ２ａ）を前記表示手段に同時に表示させると共に前記検眼ユニットを制御させる制御手段（制御部１１）と、前記メインウインドウＭｗに表示された屈折力データと前記参照ウインドウ（Ｓｗ１，Ｓｗ２又はＳｗ１ａ，Ｓｗ２ａ）に表示された屈折力データとを切り替え表示させる表示切替手段（データ切替ボタンＤｓｂ「Ｄａｔａ  ｓｅｔ」）を備えている。しかも、前記制御手段（制御部１１）は、前記外部屈折力データを自覚屈折力検査のスタートデータとして前記メインウインドウＭｗに表示させると共に、前記スタートデータに基づいて前記検眼ユニット６Ｌ，６Ｒを制御して前記自覚による眼屈折力データを得るようになっている。また、自覚式検眼装置には、前記スタートデータを前記複数の参照ウインドウ（Ｓｗ１，Ｓｗ２又はＳｗ１ａ，Ｓｗ２ａ）のいずれに表示するかを設定する表示ウインドウ設定手段が設けられている。尚、表示ウインドウ設定手段は、検眼プログラムの一部として設けられているので、図示は省略している。しかも、前記制御手段（制御部１１）は、前記表示切替手段（データ切替ボタンＤｓｂ）の操作により前記メインウインドウＭｗに表示された前記スタートデータを前記設定された参照ウインドウ（Ｓｗ１，Ｓｗ２又はＳｗ１ａ，Ｓｗ２ａのいずれか一つ）に退避表示可能としている。
【００５５】
この構成によれば、メインデータウインドウＭｗに表示された屈折力データを他のデータに入れ替えた時に、必要とされる参照ウインドウ（Ｓｗ１，Ｓｗ２又はＳｗ１ａ，Ｓｗ２ａのいずれか一つ）の表示を書き換えたり、消去したり、表示位置が移動するのを防止できる。
【００５６】
また、この発明の実施の形態の前記表示ウインドウ設定手段は、前記参照ウインドウ（Ｓｗ１，Ｓｗ２又はＳｗ１ａ，Ｓｗ２ａ）に表示された屈折力データを前記メインウインドウＭｗに変更表示させる際に、前記メインウインドウＭｗに表示されていた屈折力データを前記複数の参照ウインドウ（Ｓｗ１，Ｓｗ２又はＳｗ１ａ，Ｓｗ２ａ）のいずれに退避させるかを設定可能に設けられている。
この構成によれば、メインデータウインドウＭｗに表示された屈折力データを参照ウインドウ（Ｓｗ１，Ｓｗ２又はＳｗ１ａ，Ｓｗ２ａのいずれか一つ）の他のデータに入れ替えた時に、必要とされる参照ウインドウ（Ｓｗ１，Ｓｗ２又はＳｗ１ａ，Ｓｗ２ａのいずれか一つ）の表示を書き換えたり、消去したり、表示位置が移動するのを防止できる。
【００５７】
更に、この発明の実施の形態の自覚式検眼装置の前記表示ウインドウ設定手段は、前記メインウインドウＭｗに表示している屈折力データを処方データとして前記参照ウインドウ（Ｓｗ１，Ｓｗ２又はＳｗ１ａ，Ｓｗ２ａのいずれか）に退避させる際に、前記複数の参照ウインドウ（Ｓｗ１，Ｓｗ２又はＳｗ１ａ，Ｓｗ２ａ）のいずれに退避させるかを設定可能に設けられている。
【００５８】
この構成によれば、メインデータウインドウＭｗに表示された屈折力データを参照ウインドウ（Ｓｗ１，Ｓｗ２又はＳｗ１ａ，Ｓｗ２ａのいずれか一つ）の他のデータと処方値のデータとして入れ替えた時に、必要とされる参照ウインドウ（Ｓｗ１，Ｓｗ２又はＳｗ１ａ，Ｓｗ２ａのいずれか一つ）の表示を書き換えたり、消去したり、表示位置が移動するのを防止できる。
【００５９】
また、この発明の実施の形態の自覚式検眼装置の前記制御手段（制御部１１）は、前記参照ウインドウ（Ｓｗ１，Ｓｗ２又はＳｗ１ａ，Ｓｗ２ａ）の屈折力データと前記メインウインドウＭｗの屈折力データとの一方をマウス１０のカーソル１０ａで他方にドラックしてドロップさせることにより、前記参照ウインドウ（Ｓｗ１，Ｓｗ２又はＳｗ１ａ，Ｓｗ２ａ）の屈折力データと前記メインウインドウＭｗの屈折力データとを入れ替え表示可能に制御するようになっている。
【００６０】
この構成によれば、メインデータウインドウＭｗに表示された屈折力データを参照ウインドウ（Ｓｗ１，Ｓｗ２又はＳｗ１ａ，Ｓｗ２ａのいずれか一つ）の他のデータと簡易かつ間違いなく入れ替えることができる。
【図面の簡単な説明】
【００６１】
【図１】この発明に係る自覚式検眼装置の斜視図である。
【図２】図１のコントローラの制御回路図である。
【図３】図１のコントローラの液晶表示器の表示画面の一例を示す説明図である。
【図４】図１のコントローラの液晶表示器に表示させる参照ウインドウ設定画面の一例を示す説明図である。
【図５】図１のコントローラの液晶表示器の表示画面に表示させる参照ウインドウ選択画面の一例を示す説明図である。
【図５Ａ】図１のコントローラの液晶表示器の表示画面に表示させるメインウインドウの他の例を示す説明図である。
【図６】図１のコントローラの液晶表示器の表示画面に表示させる参照ウインドウの他の例を示す説明図である。
【符号の説明】
【００６２】
６…フォロプタ
６Ｌ，６Ｒ…検眼ユニット
１０…マウス
１０ａ…カーソル
１１…制御部（制御手段）
１１ａ，１１ｂ…データ入力部
Ｍｗ…メインウインド
Ｓｗ１…参照ウインドウ
Ｓｗ２…参照ウインドウ
Ｓｗ１ａ…参照ウインドウ
Ｓｗ２ａ…参照ウインドウ
Ｄｓｂ…データ切替ボタン（表示切替手段）
【図１】
0004791232.tif 000002
【図２】
0004791232.tif 000003
【図３】
0004791232.tif 000004
【図４】
0004791232.tif 000005
【図５】
0004791232.tif 000006
【図５Ａ】
0004791232.tif 000007
【図６】
0004791232.tif 000008